【手続補正書】
【提出日】平成18年5月2日(2006.5.2)
【手続補正１】
【補正対象書類名】明細書
【補正対象項目名】特許請求の範囲
【補正方法】変更
【補正の内容】
【特許請求の範囲】
【請求項１】  電源が供給されている状態で利用者の所持する券に基いて、上記利用者の通行の許可不許可を判定する自動改札装置において、
利用者の通行を制御する通行制御手段と、
装置に電源が供給されている場合に、利用者の通行の許可不許可の判定に基いて、上記通行制御手段を開閉する駆動手段と、
外部装置から電源オフが指示された際に、上記駆動手段により通行制御手段を駆動し、閉鎖した状態で通行制御手段を固定する固定手段と、
この固定手段により通行制御手段を固定した後に、装置に供給する電源をオフする制御手段と、
を具備することを特徴とする自動改札装置。
【請求項２】  電源が供給されている状態で利用者の所持する券に基いて、上記利用者の通行の許可不許可を判定する自動改札装置において、
利用者の通行を制御する通行制御手段と、
装置に電源が供給されている場合に、利用者の通行の許可不許可の判定に基いて、上記通行制御手段を開閉する駆動手段と、
外部装置から電源オフが指示された際に、上記駆動手段により通行制御手段を駆動し、閉鎖した状態で通行制御手段を固定する固定手段と、
この固定手段により通行制御手段が正常に固定されたか否かを判断する判断手段と、
この判断手段により通行制御手段が正常に固定されたと判断した際に、装置に供給する電源をオフする第１の制御手段と、
上記判断手段により通行制御手段が正常に固定されていないと判断した際に、上記駆動手段により通行制御手段を閉鎖した状態で上記駆動手段以外へ供給する電源をオフする第２の制御手段と、
を具備することを特徴とする自動改札装置。
【請求項３】  電源が供給されている状態で利用者の所持する券に基いて、上記利用者の通行の許可不許可を判定する自動改札装置において、
利用者の通行を制御する通行制御手段と、
装置に電源が供給されている場合に、利用者の通行の許可不許可の判定に基いて、上記通行制御手段を開閉する駆動手段と、
外部装置から電源オフが指示された際に、上記駆動手段により通行制御手段を駆動し、閉鎖した状態で通行制御手段を固定する固定手段と、
この固定手段により通行制御手段が正常に固定されたか否かを判断する判断手段と、
この判断手段により通行制御手段が正常に固定されたと判断した際に、装置へ供給する電源をオフする第１の制御手段と、
上記判断手段により通行制御手段が正常に固定されていないと判断した際に、上記固定手段による通行制御手段の固定が正常に動作しないことを報知する報知手段と、
上記判断手段により通行制御手段が正常に固定されていないと判断した際に、上記駆動手段により通行制御手段を閉鎖した状態で上記駆動手段以外へ供給する電源をオフする第２の制御手段と、
を具備することを特徴とする自動改札装置。
【請求項４】  電源が供給されている状態で利用者の所持する券に基いて、上記利用者の通行の許可不許可を判定する自動改札装置において、
利用者の通行を制御する通行制御手段と、
装置に電源が供給されている場合に、利用者の通行の許可不許可の判定に基いて、上記通行制御手段を開閉する駆動手段と、
外部装置から電源オフが指示された際に、上記駆動手段により通行制御手段を駆動し、閉鎖した状態で通行制御手段を固定する固定手段と、
この固定手段により通行制御手段が正常に固定されたか否かを判断する判断手段と、
この判断手段により通行制御手段が正常に固定されたと判断した際に、装置に供給する電源をオフする第１の制御手段と、
上記判断手段により通行制御手段が正常に固定されていないと判断した際に、所定回数に達するまで、上記固定手段による上記通行制御手段の固定を再実行する実行手段と、
上記実行手段により再実行される上記通行制御手段の固定が所定回数に達した際に、上記駆動手段により通行制御手段の閉鎖した状態で、装置内の上記駆動手段以外の各部への電源をオフする第２の制御手段と、
を具備することを特徴とする自動改札装置。
【請求項５】  電源が供給されている状態で利用者の所持する券に基いて、上記利用者の通行の許可不許可を判定する自動改札装置において、
利用者の通行を制御する通行制御手段と、
装置に電源が供給されている場合に、利用者の通行の許可不許可の判定に基いて、上記通行制御手段を開閉する駆動手段と、
外部装置から電源オフが指示された際に、上記駆動手段により通行制御手段を駆動し、閉鎖した状態で通行制御手段を固定する固定手段と、
この固定手段により通行制御手段が正常に固定されたか否かを判断する第１の判断手段と、
この第１の判断手段により通行制御手段が正常に固定されたと判断した際に、装置内の各部への電源をオフする第１の制御手段と、
上記第１の判断手段により通行制御手段が正常に固定されていないと判断した際に、上記駆動手段により通行制御手段を閉鎖させる制御を行い、正常に通行制御手段が閉鎖されたか否かを判断する第２の判断手段と、
この第２の判断手段により上記駆動手段による通行制御手段の閉鎖が正常に動作したと判断した際に、上記駆動手段により通行制御手段を閉鎖した状態で、装置内の上記駆動手段以外の各部への電源をオフする第２の制御手段と、
上記第２の判断手段により上記駆動手段による通行制御手段の閉鎖が正常に動作しなかったと判断した際に、上記駆動手段による通行制御手段の動作異常を報知する報知手段と、
を具備することを特徴とする自動改札装置。
【請求項６】  電源が供給されている状態で利用者の所持する券に基いて、上記利用者の通過の許可不許可を判定する自動改札装置と、この自動改札装置と通信回線を介して接続され、上記自動改札装置の監視および制御を行う監視装置とからなる自動改札システムにおいて、
上記監視装置が、
通行を阻止した状態での上記自動改札装置の電源オフを選択する選択手段と、
この選択手段により通行を阻止した状態での電源オフが選択された際に、上記自動改札装置を通行を阻止した状態で固定する命令を送信する第１の送信手段と、
この第１の送信手段により送信した命令に対して、通行を阻止した状態での固定が完了した旨の通知を受けた際に、上記自動改札装置に電源をオフする命令を送信する第２の送信手段と、からなり、
上記自動改札装置が、
利用者の通行を制御する通行制御手段と、
電源が供給されている場合に、利用者の通行の許可不許可の判定に基いて、上記通行制御手段を開閉する駆動手段と、
上記第１の送信手段により送信された通行を阻止した状態で固定する命令を受信した際に、上記駆動手段により通行制御手段を駆動して閉鎖状態で固定する固定手段と、
この固定手段により通行制御手段を固定した際に、通行制御手段の固定が完了したことを上記監視装置に通知する通知手段と、
上記第２の送信手段により送信された電源をオフする命令を受信した際に、電源をオフする制御手段と、からなる、
ことを特徴とする自動改札システム。
【請求項７】  電源が供給されている状態で利用者の所持する券に基いて、上記利用者の通過の許可不許可を判定する自動改札装置と、この自動改札装置と通信回線を介して接続され、上記自動改札装置の監視および制御を行う監視装置とからなる自動改札システムにおいて、
上記監視装置が、
通行を阻止した状態での上記自動改札装置の電源オフを選択する選択手段と、
この選択手段により通行を阻止した状態での電源オフが選択された際に、上記自動改札装置を通行を阻止した状態で固定する命令を送信する第１の送信手段と、
この第１の送信手段により送信した命令に対して、通行を阻止した状態での固定が完了した旨の通知を受けた際に、上記自動改札装置に電源をオフする命令を送信する第２の送信手段と、からなり、
上記自動改札装置が、
利用者の通行を制御する通行制御手段と、
電源が供給されている場合に、利用者の通行の許可不許可の判定に基いて、上記通行制御手段を開閉する駆動手段と、
上記第１の送信手段により送信された通行を阻止した状態で固定する命令を受信した際に、上記駆動手段により通行制御手段を駆動し、閉鎖した状態で固定する固定手段と、
この固定手段により通行制御手段が正常に固定されたか否かを判断する判断手段と、
この判断手段により通行制御手段が閉鎖した状態で正常に固定されたと判断した際に、通行制御手段の固定が完了したことを上記監視装置に通知する通知手段と、
上記第２の送信手段により送信された電源をオフする命令を受信した際に、電源をオフする第１の制御手段と、
上記判断手段により通行制御手段が正常に固定されていないと判断した際に、上記駆動手段により通行制御手段を閉鎖した状態で上記駆動手段以外へ供給する電源をオフする第２の制御手段と、からなる、
ことを特徴とする自動改札システム。
【請求項８】  電源が供給されている状態で利用者の所持する券に基いて、上記利用者の通過の許可不許可を判定する自動改札装置と、この自動改札装置と通信回線を介して接続され、上記自動改札装置の監視および制御を行う監視装置とからなる自動改札システムにおいて、
上記監視装置が、
通行を阻止した状態での上記自動改札装置の電源オフを選択する選択手段と、
この選択手段により通行を阻止した状態での電源オフが選択された際に、上記自動改札装置を通行を阻止した状態で固定する命令を送信する第１の送信手段と、
この第１の送信手段により送信した命令に対して、通行を阻止した状態での固定が完了した旨の通知を受けた際に、上記自動改札装置に電源をオフする命令を送信する第２の送信手段と、
上記第１の送信手段により送信した命令に対して、通行を阻止した状態での固定が完了しなかった旨の通知を受けた際に、通行を阻止した状態での固定ができなかった旨を報知する報知手段と、からなり、
上記自動改札装置が、
利用者の通行を制御する通行制御手段と、
電源が供給されている場合に、利用者の通行の許可不許可の判定に基いて、上記通行制御手段を開閉する駆動手段と、
上記第１の送信手段により送信された通行を阻止した状態で固定する命令を受信した際に、上記駆動手段により通行制御手段を駆動し、閉鎖した状態で固定する固定手段と、
この固定手段により通行制御手段が正常に固定されたか否かを判断する判断手段と、
この判断手段により通行制御手段が閉鎖した状態で正常に固定されたと判断した際に、通行制御手段の固定が完了したことを上記監視装置に通知する第１の通知手段と、
上記第２の送信手段により送信された電源をオフする命令を受信した際に、電源をオフする第１の制御手段と、
上記判断手段により通行制御手段が正常に固定されていないと判断した際に、通行制御手段の固定ができなかったことを上記監視装置に通知する第２の通知手段と、
上記判断手段により通行制御手段が正常に固定されていないと判断した際に、上記駆動手段により通行制御手段を閉鎖した状態で上記駆動手段以外へ供給する電源をオフする第２の制御手段と、からなる、
ことを特徴とする自動改札システム。
【請求項９】  電源が供給されている状態で利用者の所持する券に基いて、上記利用者の通過の許可不許可を判定する自動改札装置と、この自動改札装置と通信回線を介して接続され、上記自動改札装置の監視および制御を行う監視装置とからなる自動改札システムにおいて、
上記監視装置が、
通行を阻止した状態での上記自動改札装置の電源オフを選択する選択手段と、
この選択手段により通行を阻止した状態での電源オフが選択された際に、上記自動改札装置を通行を阻止した状態で固定する命令を送信する第１の送信手段と、
この第１の送信手段により送信した命令に対して、通行を阻止した状態での固定が完了した旨の通知を受けた際に、上記自動改札装置に電源をオフする命令を送信する第２の送信手段と、からなり、
上記自動改札装置が、
利用者の通行を制御する通行制御手段と、
電源が供給されている場合に、利用者の通行の許可不許可の判定に基いて、上記通行制御手段を開閉する駆動手段と、
上記第１の送信手段により送信された通行を阻止した状態で固定する命令を受信した際に、上記駆動手段により通行制御手段を駆動し、閉鎖した状態で固定する固定手段と、
この固定手段により通行制御手段が正常に固定されたか否かを判断する判断手段と、
この判断手段により通行制御手段が閉鎖した状態で正常に固定されたと判断した際に、通行制御手段の固定が完了したことを上記監視装置に通知する通知手段と、
上記第２の送信手段により送信された電源をオフする命令を受信した際に、電源をオフする第１の制御手段と、
上記判断手段により通行制御手段が正常に固定されていないと判断した際に、所定回数に達するまで、上記固定手段による上記通行制御手段の固定を再実行する実行手段と、
この実行手段により再実行される上記通行制御手段の固定が所定回数に達した際に、上記駆動手段により通行制御手段を閉鎖した状態で上記駆動手段以外へ供給する電源をオフする第２の制御手段と、からなる、
ことを特徴とする自動改札システム。
【請求項１０】  電源が供給されている状態で利用者の所持する券に基いて、上記利用者の通過の許可不許可を判定する自動改札装置と、この自動改札装置と通信回線を介して接続され、上記自動改札装置の監視および制御を行う監視装置とからなる自動改札システムにおいて、
上記監視装置が、
通行を阻止した状態での上記自動改札装置の電源オフを選択する選択手段と、
この選択手段により通行を阻止した状態での電源オフが選択された際に、上記自動改札装置を通行を阻止した状態で固定する命令を送信する第１の送信手段と、
この第１の送信手段により送信した命令に対して、通行を阻止した状態での固定が完了した旨の通知を受けた際に、上記自動改札装置に電源をオフする命令を送信する第２の送信手段と、からなり、
上記自動改札装置が、
利用者の通行を制御する通行制御手段と、
電源が供給されている場合に、利用者の通行の許可不許可の判定に基いて、上記通行制御手段を開閉する駆動手段と、
上記第１の送信手段により送信された通行を阻止した状態で固定する命令を受信した際に、上記駆動手段により通行制御手段を駆動し、閉鎖した状態で固定する固定手段と、
この固定手段により通行制御手段が正常に固定されたか否かを判断する判断手段と、
この判断手段により通行制御手段が閉鎖した状態で正常に固定されたと判断した際に、通行制御手段の固定が完了したことを上記監視装置に通知する通知手段と、
上記第２の送信手段により送信された電源をオフする命令を受信した際に、電源をオフする第１の制御手段と、
上記判断手段により通行制御手段が正常に固定されていないと判断した際に、上記駆動手段により通行制御手段を閉鎖させる制御を行い、正常に通行制御手段が閉鎖されたか否かを判断する第２の判断手段と、
この第２の判断手段により上記駆動手段による通行制御手段の閉鎖が正常に動作したと判断した際に、上記駆動手段により通行制御手段を閉鎖した状態で上記駆動手段以外へ供給する電源をオフする第２の制御手段と、
上記第２の判断手段により上記駆動手段による通行制御手段の閉鎖が正常に動作しなかったと判断した際に、上記駆動手段による通行制御手段の動作異常を報知する報知手段と、からなる、
ことを特徴とする自動改札システム。
【請求項１１】  利用者の通行を制御する自動改札装置と、この自動改札装置と通信回線を介して接続される監視装置とからなるシステムに用いられる自動改札装置の制御方法であって、
通行を阻止した状態での上記自動改札装置の電源オフが選択された監視装置が利用者の通行を阻止した状態で固定する命令を上記自動改札装置へ送信し、
上記監視装置から送信された通行を阻止した状態で固定する命令を受信した自動改札装置が利用者の通行を制御するための通行制御手段を閉鎖状態で固定し、
上記通行制御手段を閉鎖状態で固定した自動改札装置が利用者の通行を阻止した状態で固定したことを上記監視装置へ通知し、
通行を阻止した状態での固定した旨の通知を上記自動改札装置から受けた上記監視装置が電源をオフする命令を上記自動改札装置へ送信し、
上記監視装置から送信された電源をオフする命令を受信した自動改札装置が電源をオフする制御を行う、
ことを特徴とする自動改札装置の制御方法。
【手続補正２】
【補正対象書類名】明細書
【補正対象項目名】０００８
【補正方法】変更
【補正の内容】
【０００８】
【課題を解決するための手段】
この発明の自動改札装置は、電源が供給されている状態で利用者の所持する券に基いて、上記利用者の通行の許可不許可を判定するものにおいて、利用者の通行を制御する通行制御手段、装置に電源が供給されている場合に、利用者の通行の許可不許可の判定に基いて、上記通行制御手段を開閉する駆動手段、外部装置から電源オフが指示された際に、上記駆動手段により通行制御手段を駆動し、閉鎖した状態で通行制御手段を固定する固定手段、およびこの固定手段により通行制御手段を固定した後に、装置に供給する電源をオフする制御手段から構成されている。
【手続補正３】
【補正対象書類名】明細書
【補正対象項目名】０００９
【補正方法】変更
【補正の内容】
【０００９】
この発明の自動改札装置は、電源が供給されている状態で利用者の所持する券に基いて、上記利用者の通行の許可不許可を判定するものにおいて、利用者の通行を制御する通行制御手段、装置に電源が供給されている場合に、利用者の通行の許可不許可の判定に基いて、上記通行制御手段を開閉する駆動手段、外部装置から電源オフが指示された際に、上記駆動手段により通行制御手段を駆動し、閉鎖した状態で通行制御手段を固定する固定手段、この固定手段により通行制御手段が正常に固定されたか否かを判断する判断手段、この判断手段により通行制御手段が正常に固定されたと判断した際に、装置に供給する電源をオフする第１の制御手段、および上記判断手段により通行制御手段が正常に固定されていないと判断した際に、上記駆動手段により通行制御手段を閉鎖した状態で上記駆動手段以外へ供給する電源をオフする第２の制御手段から構成されている。
【手続補正４】
【補正対象書類名】明細書
【補正対象項目名】００１０
【補正方法】変更
【補正の内容】
【００１０】
この発明の自動改札装置は、電源が供給されている状態で利用者の所持する券に基いて、上記利用者の通行の許可不許可を判定するものにおいて、利用者の通行を制御する通行制御手段、装置に電源が供給されている場合に、利用者の通行の許可不許可の判定に基いて、上記通行制御手段を開閉する駆動手段、外部装置から電源オフが指示された際に、上記駆動手段により通行制御手段を駆動し、閉鎖した状態で通行制御手段を固定する固定手段、この固定手段により通行制御手段が正常に固定されたか否かを判断する判断手段、この判断手段により通行制御手段が正常に固定されたと判断した際に、装置へ供給する電源をオフする第１の制御手段、上記判断手段により通行制御手段が正常に固定されていないと判断した際に、上記固定手段による通行制御手段の固定が正常に動作しないことを報知する報知手段、および上記判断手段により通行制御手段が正常に固定されていないと判断した際に、上記駆動手段により通行制御手段を閉鎖した状態で上記駆動手段以外へ供給する電源をオフする第２の制御手段から構成されている。
【手続補正５】
【補正対象書類名】明細書
【補正対象項目名】００１１
【補正方法】変更
【補正の内容】
【００１１】
この発明の自動改札装置は、電源が供給されている状態で利用者の所持する券に基いて、上記利用者の通行の許可不許可を判定するものにおいて、利用者の通行を制御する通行制御手段、装置に電源が供給されている場合に、利用者の通行の許可不許可の判定に基いて、上記通行制御手段を開閉する駆動手段、外部装置から電源オフが指示された際に、上記駆動手段により通行制御手段を駆動し、閉鎖した状態で通行制御手段を固定する固定手段、この固定手段により通行制御手段が正常に固定されたか否かを判断する判断手段、この判断手段により通行制御手段が正常に固定されたと判断した際に、装置に供給する電源をオフする第１の制御手段、上記判断手段により通行制御手段が正常に固定されていないと判断した際に、所定回数に達するまで、上記固定手段による上記通行制御手段の固定を再実行する実行手段、および上記実行手段により再実行される上記通行制御手段の固定が所定回数に達した際に、上記駆動手段により通行制御手段の閉鎖した状態で、装置内の上記駆動手段以外の各部への電源をオフする第２の制御手段から構成されている。
【手続補正６】
【補正対象書類名】明細書
【補正対象項目名】００１２
【補正方法】変更
【補正の内容】
【００１２】
この発明の自動改札装置は、電源が供給されている状態で利用者の所持する券に基いて、上記利用者の通行の許可不許可を判定するものにおいて、利用者の通行を制御する通行制御手段、装置に電源が供給されている場合に、利用者の通行の許可不許可の判定に基いて、上記通行制御手段を開閉する駆動手段、外部装置から電源オフが指示された際に、上記駆動手段により通行制御手段を駆動し、閉鎖した状態で通行制御手段を固定する固定手段、この固定手段により通行制御手段が正常に固定されたか否かを判断する第１の判断手段、この第１の判断手段により通行制御手段が正常に固定されたと判断した際に、装置内の各部への電源をオフする第１の制御手段、上記第１の判断手段により通行制御手段が正常に固定されていないと判断した際に、上記駆動手段により通行制御手段を閉鎖させる制御を行い、正常に通行制御手段が閉鎖されたか否かを判断する第２の判断手段、この第２の判断手段により上記駆動手段による通行制御手段の閉鎖が正常に動作したと判断した際に、上記駆動手段により通行制御手段を閉鎖した状態で、装置内の上記駆動手段以外の各部への電源をオフする第２の制御手段、および上記第２の判断手段により上記駆動手段による通行制御手段の閉鎖が正常に動作しなかったと判断した際に、上記駆動手段による通行制御手段の動作異常を報知する報知手段から構成されている。
【手続補正７】
【補正対象書類名】明細書
【補正対象項目名】００１３
【補正方法】変更
【補正の内容】
【００１３】
この発明の自動改札システムは、電源が供給されている状態で利用者の所持する券に基いて、上記利用者の通過の許可不許可を判定する自動改札装置と、この自動改札装置と通信回線を介して接続され、上記自動改札装置の監視および制御を行う監視装置とからなるものにおいて、上記監視装置が、通行を阻止した状態での上記自動改札装置の電源オフを選択する選択手段、この選択手段により通行を阻止した状態での電源オフが選択された際に、上記自動改札装置を通行を阻止した状態で固定する命令を送信する第１の送信手段、およびこの第１の送信手段により送信した命令に対して、通行を阻止した状態での固定が完了した旨の通知を受けた際に、上記自動改札装置に電源をオフする命令を送信する第２の送信手段からなり、上記自動改札装置が、利用者の通行を制御する通行制御手段、電源が供給されている場合に、利用者の通行の許可不許可の判定に基いて、上記通行制御手段を開閉する駆動手段、上記第１の送信手段により送信された通行を阻止した状態で固定する命令を受信した際に、上記駆動手段により通行制御手段を駆動して閉鎖状態で固定する固定手段、この固定手段により通行制御手段を固定した際に、通行制御手段の固定が完了したことを上記監視装置に通知する通知手段、および上記第２の送信手段により送信された電源をオフする命令を受信した際に、電源をオフする制御手段からなる。
【手続補正８】
【補正対象書類名】明細書
【補正対象項目名】００１４
【補正方法】変更
【補正の内容】
【００１４】
この発明の自動改札システムは、電源が供給されている状態で利用者の所持する券に基いて、上記利用者の通過の許可不許可を判定する自動改札装置と、この自動改札装置と通信回線を介して接続され、上記自動改札装置の監視および制御を行う監視装置とからなるものにおいて、上記監視装置が、通行を阻止した状態での上記自動改札装置の電源オフを選択する選択手段、この選択手段により通行を阻止した状態での電源オフが選択された際に、上記自動改札装置を通行を阻止した状態で固定する命令を送信する第１の送信手段、およびこの第１の送信手段により送信した命令に対して、通行を阻止した状態での固定が完了した旨の通知を受けた際に、上記自動改札装置に電源をオフする命令を送信する第２の送信手段からなり、上記自動改札装置が、利用者の通行を制御する通行制御手段、電源が供給されている場合に、利用者の通行の許可不許可の判定に基いて、上記通行制御手段を開閉する駆動手段、上記第１の送信手段により送信された通行を阻止した状態で固定する命令を受信した際に、上記駆動手段により通行制御手段を駆動し、閉鎖した状態で固定する固定手段、この固定手段により通行制御手段が正常に固定されたか否かを判断する判断手段、この判断手段により通行制御手段が閉鎖した状態で正常に固定されたと判断した際に、通行制御手段の固定が完了したことを上記監視装置に通知する通知手段、上記第２の送信手段により送信された電源をオフする命令を受信した際に、電源をオフする第１の制御手段、および上記判断手段により通行制御手段が正常に固定されていないと判断した際に、上記駆動手段により通行制御手段を閉鎖した状態で上記駆動手段以外へ供給する電源をオフする第２の制御手段からなる。
【手続補正９】
【補正対象書類名】明細書
【補正対象項目名】００１５
【補正方法】変更
【補正の内容】
【００１５】
この発明の自動改札システムは、電源が供給されている状態で利用者の所持する券に基いて、上記利用者の通過の許可不許可を判定する自動改札装置と、この自動改札装置と通信回線を介して接続され、上記自動改札装置の監視および制御を行う監視装置とからなるものにおいて、上記監視装置が、通行を阻止した状態での上記自動改札装置の電源オフを選択する選択手段、この選択手段により通行を阻止した状態での電源オフが選択された際に、上記自動改札装置を通行を阻止した状態で固定する命令を送信する第１の送信手段、この第１の送信手段により送信した命令に対して、通行を阻止した状態での固定が完了した旨の通知を受けた際に、上記自動改札装置に電源をオフする命令を送信する第２の送信手段、上記第１の送信手段により送信した命令に対して、通行を阻止した状態での固定が完了しなかった旨の通知を受けた際に、通行を阻止した状態での固定ができなかった旨を報知する報知手段からなり、上記自動改札装置が、利用者の通行を制御する通行制御手段、電源が供給されている場合に、利用者の通行の許可不許可の判定に基いて、上記通行制御手段を開閉する駆動手段、上記第１の送信手段により送信された通行を阻止した状態で固定する命令を受信した際に、上記駆動手段により通行制御手段を駆動し、閉鎖した状態で固定する固定手段、この固定手段により通行制御手段が正常に固定されたか否かを判断する判断手段、この判断手段により通行制御手段が閉鎖した状態で正常に固定されたと判断した際に、通行制御手段の固定が完了したことを上記監視装置に通知する第１の通知手段、上記第２の送信手段により送信された電源をオフする命令を受信した際に、電源をオフする第１の制御手段、上記判断手段により通行制御手段が正常に固定されていないと判断した際に、通行制御手段の固定ができなかったことを上記監視装置に通知する第２の通知手段、および上記判断手段により通行制御手段が正常に固定されていないと判断した際に、上記駆動手段により通行制御手段を閉鎖した状態で上記駆動手段以外へ供給する電源をオフする第２の制御手段からなる。
【手続補正１０】
【補正対象書類名】明細書
【補正対象項目名】００１６
【補正方法】変更
【補正の内容】
【００１６】
この発明の自動改札システムは、電源が供給されている状態で利用者の所持する券に基いて、上記利用者の通過の許可不許可を判定する自動改札装置と、この自動改札装置と通信回線を介して接続され、上記自動改札装置の監視および制御を行う監視装置とからなるものにおいて、上記監視装置が、通行を阻止した状態での上記自動改札装置の電源オフを選択する選択手段、この選択手段により通行を阻止した状態での電源オフが選択された際に、上記自動改札装置を通行を阻止した状態で固定する命令を送信する第１の送信手段、およびこの第１の送信手段により送信した命令に対して、通行を阻止した状態での固定が完了した旨の通知を受けた際に、上記自動改札装置に電源をオフする命令を送信する第２の送信手段からなり、上記自動改札装置が、利用者の通行を制御する通行制御手段、電源が供給されている場合に、利用者の通行の許可不許可の判定に基いて、上記通行制御手段を開閉する駆動手段、上記第１の送信手段により送信された通行を阻止した状態で固定する命令を受信した際に、上記駆動手段により通行制御手段を駆動し、閉鎖した状態で固定する固定手段、この固定手段により通行制御手段が正常に固定されたか否かを判断する判断手段、この判断手段により通行制御手段が閉鎖した状態で正常に固定されたと判断した際に、通行制御手段の固定が完了したことを上記監視装置に通知する通知手段、上記第２の送信手段により送信された電源をオフする命令を受信した際に、電源をオフする第１の制御手段、上記判断手段により通行制御手段が正常に固定されていないと判断した際に、所定回数に達するまで、上記固定手段による上記通行制御手段の固定を再実行する実行手段、およびこの実行手段により再実行される上記通行制御手段の固定が所定回数に達した際に、上記駆動手段により通行制御手段を閉鎖した状態で上記駆動手段以外へ供給する電源をオフする第２の制御手段からなる。
【手続補正１１】
【補正対象書類名】明細書
【補正対象項目名】００１７
【補正方法】変更
【補正の内容】
【００１７】
この発明の自動改札システムは、電源が供給されている状態で利用者の所持する券に基いて、上記利用者の通過の許可不許可を判定する自動改札装置と、この自動改札装置と通信回線を介して接続され、上記自動改札装置の監視および制御を行う監視装置とからなるものにおいて、上記監視装置が、通行を阻止した状態での上記自動改札装置の電源オフを選択する選択手段、この選択手段により通行を阻止した状態での電源オフが選択された際に、上記自動改札装置を通行を阻止した状態で固定する命令を送信する第１の送信手段、およびこの第１の送信手段により送信した命令に対して、通行を阻止した状態での固定が完了した旨の通知を受けた際に、上記自動改札装置に電源をオフする命令を送信する第２の送信手段からなり、上記自動改札装置が、利用者の通行を制御する通行制御手段、電源が供給されている場合に、利用者の通行の許可不許可の判定に基いて、上記通行制御手段を開閉する駆動手段、上記第１の送信手段により送信された通行を阻止した状態で固定する命令を受信した際に、上記駆動手段により通行制御手段を駆動し、閉鎖した状態で固定する固定手段、この固定手段により通行制御手段が正常に固定されたか否かを判断する判断手段、この判断手段により通行制御手段が閉鎖した状態で正常に固定されたと判断した際に、通行制御手段の固定が完了したことを上記監視装置に通知する通知手段、上記第２の送信手段により送信された電源をオフする命令を受信した際に、電源をオフする第１の制御手段、上記判断手段により通行制御手段が正常に固定されていないと判断した際に、上記駆動手段により通行制御手段を閉鎖させる制御を行い、正常に通行制御手段が閉鎖されたか否かを判断する第２の判断手段、この第２の判断手段により上記駆動手段による通行制御手段の閉鎖が正常に動作したと判断した際に、上記駆動手段により通行制御手段を閉鎖した状態で上記駆動手段以外へ供給する電源をオフする第２の制御手段、および上記第２の判断手段により上記駆動手段による通行制御手段の閉鎖が正常に動作しなかったと判断した際に、上記駆動手段による通行制御手段の動作異常を報知する報知手段からなる。
【手続補正１２】
【補正対象書類名】明細書
【補正対象項目名】００４０
【補正方法】変更
【補正の内容】
【００４０】
次に、自動改札装置１の電源をオフする場合におけるドア６の制御の流れを図６に示すフローチャートを参照しつつ説明する。